(57)【要約】【課題】  頭にかぶるサンバイザー等の帽子を被った場合、正面つば部が正面からの日を遮り、顔面正面は紫外線から守られる。しかし、側方から当たる日を遮ることは出来ず、顔面の側部を紫外線から守ることは出来ない。【解決手段】  サンバイザー等の帽子に、顔面側部紫外線遮蔽具８を付設する。顔面側部紫外線遮蔽具８は、サンバイザー等の帽子の側頭部の外側に取り付けられる取付体５と、取付体５を中心として任意の位置に回動され、顔面の側部を覆う広さの略扇形状をし、且つ紫外線遮蔽機能を有する材質の板状体で作られた側面日除け部６とから構成される。顔面側部を覆う場合には側面日除け部６を回動して下げ、不用の場合には回動して上げておく。側面日除け部６の耳を覆う部分には、必要に応じて複数個の小穴７を設ける。【選択図】        図１
0003112493.tif 000002
【実用新案登録請求の範囲】
【請求項１】
帽子の側頭部の外側に取り付けられる取付体と、
該取付体を中心として任意の位置に回動され、顔面の側部を覆う広さの略扇形状をし、且つ紫外線遮蔽機能を有する材質の板状体で作られた側面日除け部と
を具えたことを特徴とする顔面側部紫外線遮蔽具。
【請求項２】
側面日除け部の耳を覆う部分に、複数個の小穴を設けたことを特徴とする請求項１記載の顔面側部紫外線遮蔽具。
【請求項３】
要を中心として扇形に開閉する扇子状の構造に作られ、顔面の側部を覆う広さとされ、且つ紫外線遮蔽機能を有する材質で作られた側面日除け部と、
該側面日除け部の一方の側片のほぼ中心を帽子の側頭部の外側に取り付ける取付体と、
を具えたことを特徴とする顔面側部紫外線遮蔽具。
【請求項４】
側面日除け部を木材で作り、それに芳香を付けたことを特徴とする請求項３記載の顔面側部紫外線遮蔽具。
【請求項５】
取付体を、帽子の下縁を内側と外側から挟むクリップの外表面に固着したことを特徴とする請求項１，２，３または４記載の顔面側部紫外線遮蔽具。
【考案の詳細な説明】
【技術分野】
【０００１】
本考案は、自動車運転時等に顔面側部を紫外線から守るための顔面側部紫外線遮蔽具に関するものである。
【背景技術】
【０００２】
エアコン等に使われていたフロンガスが大気中に放出され、それが上空に蓄積されて来ると、オゾンホールが開けられ、そこから強力な紫外線が地上に降り注ぐことは、今では広く知られている現象である。オゾンホールを開ける原因は他にもあると思われるが、ともかく拡大する傾向にあるようである。
紫外線を浴びると、単に日焼けして外見上好ましくないということだけに留まらず、皮膚ガンを始めとして種々の皮膚病の原因になるとも言われており、紫外線から身を守る対策は、近年特に重要視されて来ている。
【０００３】
ところで、外出する際に顔面を紫外線から守るための代表的な物としては、つばの付いた帽子がある。その一種として次に示すようなサンバイザーがある。
図５は、サンバイザーを示す図である。図５において、１はサンバイザー、２はヘッドバンド、３は正面つば部である。正面つば部３は、固い芯を入れた布で作られることもあれば、ＵＶ（紫外線）カットの性質を有するプラスチックで作られることもある。そのような正面つば部３とヘッドバンド２とが一体に連結されて、サンバイザー１は構成されている。
【０００４】
図６は、サンバイザーの着用状況を示す図である。符号は図５のものに対応し、４は人の頭である。サンバイザーにも、主たる目的を何にするかにより種々の種類がある。単にまぶしい太陽の光が目に入らないようにするという目的のサンバイザーでは、正面つば部３はそれほど大きなものとはされていない。しかし、顔面に紫外線が入るのを防ぐようにするという目的のサンバイザーでは、正面つば部３は大きなものとされている。
帽子の一例としてサンバイザーを挙げて説明したが、他の種類の帽子でも同様のことが言える。
【考案の開示】
【考案が解決しようとする課題】
【０００５】
前記したサンバイザー等の帽子には、顔面の側部を紫外線から守ることが出来ないという問題点があった。
正面つば部３を大きくしたものを被っている場合で、正面方向に太陽が位置していれば、顔面の側部も正面つば部３の蔭となり、紫外線から守られる。しかし、人は太陽の方向を向いてばかりいるわけではなく、あちこち向くわけであるから、横を向いた場合は、顔面の側部に日が当たり、紫外線を受ける。これが短時間ならまだ影響は少ないが、自動車を横の窓から日を受けながら運転する場合等は、走行方向から顔をそらすわけにもいかないので、長時間にわたってずうっと紫外線を受け続けることになる。これは好ましいことではない。
本考案は、以上のような問題点を解決することを課題とするものである。
【課題を解決するための手段】
【０００６】
前記課題を解決するため、本考案では、帽子の側頭部の外側に取り付けられる取付体と、該取付体を中心として任意の位置に回動され、顔面の側部を覆う広さの略扇形状をし、且つ紫外線遮蔽機能を有する材質の板状体で作られた側面日除け部とを具えたことを特徴とする顔面側部紫外線遮蔽具を提供することとした。この側面日除け部の耳を覆う部分には、必要に応じて複数個の小穴を設けてもよい。
【０００７】
また本考案では、要を中心として扇形に開閉する扇子状の構造に作られ、顔面の側部を覆う広さとされ、且つ紫外線遮蔽機能を有する材質で作られた側面日除け部と、該側面日除け部の一方の側片のほぼ中心を帽子の側頭部の外側に取り付ける取付体とを具えたことを特徴とする顔面側部紫外線遮蔽具を提供する。この側面日除け部を木材で作り、それに芳香を付けてもよい。
なお、上記のいずれの顔面側部紫外線遮蔽具においても、取付体を、帽子の下縁を内側と外側から挟むクリップの外表面に固着するようにすることが出来る。
【考案の効果】
【０００８】
本考案の顔面側部紫外線遮蔽具によれば、サンバイザー等の帽子に付設して、顔面の側部を紫外線から遮蔽することが出来る。従って、顔面の側部の日焼けを防止したり、皮膚ガン等紫外線に起因する種々の皮膚病を予防したりすることが可能となる。
【考案を実施するための最良の形態】
【０００９】
以下、本考案の実施形態を図面に基づいて詳細に説明する。
図１は、本考案の第１の実施形態の顔面側部紫外線遮蔽具を付設したサンバイザーを示す図である。符号は図５のものに対応し、５は取付体、６は側面日除け部、７は小穴、８は顔面側部紫外線遮蔽具である。図１（１）は、顔面側部紫外線遮蔽具８を下方に回動した状態のサンバイザー１を横から見た図、図１（２）は、顔面側部紫外線遮蔽具８を正面つば部３の上に回動した状態のサンバイザー１を上から見た図である。
【００１０】
顔面側部紫外線遮蔽具８は、略扇状の側面日除け部６と、扇の要に当たる位置に設けられた取付体５とから成る。顔面側部紫外線遮蔽具８の第１の実施形態は、その側面日除け部６が、１つの板状体で構成されているものである。当然のことながら、この板状体としては、ＵＶ（紫外線）カット機能を具えたものを使用する。
側面日除け部６は、取付体５を中心として回動可能とされ、任意の回動位置に留まり得るようにされている。側面日除け部６の板面は、顔面側部に沿うように多少湾曲したものが望ましいが、平坦であってもよい。また、材質は、横目で見る場合に視界の邪魔をしないよう、透明なプラスチックであることが望ましい。
【００１１】
側面日除け部６の一部（耳を覆う部分）には、必要に応じて小穴７を開けておく。これは、音波を通過させ、耳の聞こえを良くするためのものである。
取付体５は、サンバイザー１のヘッドバンド２に取り付けられる。その位置は、そこを中心にして側面日除け部６を回動して下方に下げた場合、顔面の側部を覆うことが出来る位置とする。従って、取付体５の位置は、通常、ヘッドバンド２の側頭部に当たる付近となる。
【００１２】
横の窓から日を受けて自動車を運転している場合には、側面日除け部６を下方に回動して顔面側部を覆うが、運転を終えて覆う必要がなくなった場合には、上に回動しておく。その場合、側面日除け部６が正面つば部３の上に乗り上がる形となれば、比較的違和感のない形でおさまる。それは、取付体５での回動方向および側面日除け部６の曲面を工夫することにより、実現出来る。
【００１３】
図２は、本考案の第１の実施形態の顔面側部紫外線遮蔽具を付設したサンバイザーの着用状況を示す図である。符号は図１，図６のものに対応している。
図２（１）は、顔面の側部を顔面側部紫外線遮蔽具８で覆うべく、側面日除け部６を回動して下方に下げている状態を示している。図２（２）は、顔面の側部を覆う必要がなくなり、側面日除け部６を回動して上に上げている状態を示している。
【００１４】
図３は、本考案の第２の実施形態の顔面側部紫外線遮蔽具を付設したサンバイザーの着用状況を示す図である。符号は図２のものに対応し、６Ａは側面日除け部、９は要である。構造上、第１の実施形態と相違する点は、顔面側部紫外線遮蔽具８の側面日除け部６Ａが、扇子状に作られているという点である。他の部分は同様であり、やはりサンバイザー等の帽子の側頭部に取り付けられる。
【００１５】
側面日除け部６Ａは、要９を中心として扇子のように広げたり、閉じたりすることが出来る構造に作っておき、取付体５でサンバイザー１に取り付けられる。このような側面日除け部６Ａは、扇子のように竹と紙とで作っても良いが、丈夫さや耐久性の点を考えれば、薄い木の板で作っておくのが望ましい。いずれの場合にも、それらに芳香を付けておくと、使用中の快適性をより一層向上させることになる。
図３（１）は、顔面側部紫外線遮蔽具８を扇状に開いた場合を示し、図３（２）は、閉じている場合を示している。
【００１６】
図１〜図３では、顔面側部紫外線遮蔽具８をサンバイザー１に付設する例を示したが、他の帽子類の側頭部に同様に付設することも出来る。なお、顔面の右側の部分を覆うようなものを示しているが、それとは対称的に作ることにより、左側の部分を覆うようなものを作ることが出来る。左右両側に取り付けることも、勿論可能である。
【００１７】
また、取付体５を帽子等に取り付けるに当たって、クリップを介することにより一時的に取り付けるようにしてもよい。
図４は、本考案の顔面側部紫外線遮蔽具をクリップで帽子に取付けた例を示す図である。符号は図１のものに対応し、１０は帽子、１１はクリップである。このクリップ１１は、帽子１０の下縁を内側と外側から挟むように下から入れ、該下縁をしっかりと挟み付けるクリップである。取付体５は、このクリップ１１の外表面に固着される。
このクリップ１１により、顔面側部紫外線遮蔽具８は帽子１０に対して着脱自在となるから、この帽子から外して他の帽子に取り付けることが容易に出来る。クリップ１１は、本考案の第２の実施形態のもの（図３のもの）に対しても、同様に適用することが出来る。
【図面の簡単な説明】
【００１８】
【図１】本考案の第１の実施形態の顔面側部紫外線遮蔽具を付設したサンバイザーを示す図
【図２】本考案の第１の実施形態の顔面側部紫外線遮蔽具を付設したサンバイザーの着用状況を示す図
【図３】本考案の第２の実施形態の顔面側部紫外線遮蔽具を付設したサンバイザーの着用状況を示す図
【図４】本考案の顔面側部紫外線遮蔽具をクリップで帽子に取付けた例を示す図
【図５】サンバイザーを示す図
【図６】サンバイザーの着用状況を示す図
【符号の説明】
【００１９】
１…サンバイザー、２…ヘッドバンド、３…正面つば部、４…頭、５…取付体、６，６Ａ…側面日除け部、７…小穴、８…顔面側部紫外線遮蔽具、９…要、１０…帽子、１１…クリップ
【図１】
0003112493.tif 000003
【図２】
0003112493.tif 000004
【図３】
0003112493.tif 000005
【図４】
0003112493.tif 000006
【図５】
0003112493.tif 000007
【図６】
0003112493.tif 000008